(57)【要約】【課題】画像を補助的に扱うことなく、テキストと同様に扱うことができ、デジタル複合機やスキャナを使用するシステムに最適な電子掲示板機能を備えたサーバ装置を提供する。【解決手段】ユーザが電子掲示板にスレッド表示されたタイトルの中からあるタイトルをクリックして参照すると、制御部３１は電子掲示板情報作成部３７に指示してそのコメントの本文および画像を含む電子掲示板情報を作成させてユーザ端末に送信する。一方、ユーザが新規画像あるいは編集画像を返信すると、送信された画像に識別情報を付与して画像格納部３２に格納するとともに、その画像を元の画像にリンクさせるリンク情報を画像バージョン情報管理部３５に送信する。この場合、コメントが返信されないと、制御部３１はコメント自動作成部３８に新規画像返信または画像編集のコメントを作成させ、このコメントをコメント格納部３４に格納するとともに、コメントリンク情報をコメントリンク情報管理部３６に送信する。【選択図】        図３
2004362118.tif 000002
【特許請求の範囲】
【請求項１】
画像データ及びテキストデータを掲載文書として扱うことができ、コメントに対する返信機能としてコメントの返信、画像の返信及び画像編集の返信が可能な電子掲示板機能を備えたサーバ装置において、画像データを格納する画像格納手段と、テキストデータを格納するコメント格納手段と、画像編集のみあるいは新規画像登録のみの返信があったとき、画像編集あるいは新規画像登録の返信があったことを示すコメントを作成する手段と、上記作成したコメント及び編集画像あるいは新規登録画像又はそれらの画像へのショートカット情報を含む電子掲示板情報を作成する手段とを備えたことを特徴とする電子掲示板機能を備えたサーバ装置。
【請求項２】
上記画像格納手段に格納された画像のバージョン管理を行う手段を備えたことを特徴とする、請求項１に記載の電子掲示板機能を備えたサーバ装置。
【請求項３】
画像データ及びテキストデータを掲載文書として扱うことができる電子掲示板機能を備えたサーバ装置において、画像データを格納する画像格納手段と、テキストデータを格納するコメント格納手段と、電子掲示板情報を作成する手段とを備え、上記電子掲示板情報を作成する手段が、コメントのスレッド表示と、選択されているスレッド内に含まれる画像の一覧を表示するとともに、上記一覧表示の画像のうち、選択されているスレッドの元になった画像にフォーカスを当てた電子掲示板情報を作成することを特徴とする電子掲示板機能を備えたサーバ装置。
【発明の詳細な説明】
【０００１】
【発明の属する技術分野】
本発明は、通信ネットワークを介して多数のユーザがアクセスし、ユーザが相互に情報を交換する電子掲示板機能を備えたサーバ装置に関する。
【０００２】
【従来の技術】
多数のユーザが書き込み、読み出しを行う電子掲示板は、企業内の各種の情報伝達のためや企業あるいは自治体などが一般大衆とコミュニケートするために広く利用されている。
例えば、各種イベントの広場であるとか、新製品の紹介といったところに利用される場合が多い。また、企業内で用いる場合には会議の事前資料の配布や各種業務連絡をこの電子掲示板と呼ばれる仕組みで行うことができ、特に、企業内で業務依頼やその結果把握、関連資料の管理及びそれらの状況や資料の公開を行うのに好適である。
【０００３】
このような電子掲示板の機能は、電子掲示板に掲示する情報が格納されたサーバ装置を備えたシステムによって実現されている。
この電子掲示板システムでは、ユーザ端末から登録された新規な電子掲示板情報が通信ネットワークを介してサーバ装置に送信される。サーバ装置によって受信された新規な電子掲示板情報はデータベースに記憶された後、登録済みの電子掲示板情報に追加されて通信ネットワークを介してユーザ端末に送信され、ユーザ端末の画面上に表示される。
【０００４】
一方、電子掲示板システムの中には、コメントのテキスト情報だけでなく写真等の画像情報も掲載できるようにした電子掲示板がある（例えば、特許文献１参照。）。
特に、公衆交換電話網などの通信回線に接続され、ファクシミリの送受信機能を有するファクシミリサーバあるいは複写機能、ファクシミリ機能、プリント機能、スキャナ機能等を有するデジタル複合機と、パーソナルコンピュータ（以下、パソコンという。）などのクライアント装置とがＬＡＮ（Ｌｏｃａｌ  Ａｒｅａ  Ｎｅｔｗｏｒｋ）を介して接続されてなるファクシミリシステムに電子掲示板機能を持たせた場合には、ファックス受信した画像やスキャナで読み取った画像を電子掲示板に掲載することが多い。
【０００５】
【特許文献１】
特開２００１−１０１１１４号公報
【０００６】
上記のような画像も掲載できる電子掲示板では、コメントの内容よりも添付された画像のほうが、情報として重要な場合がある。例えば、製品開発部門において製品図面を電子掲示板を介してやり取りする場合や、発注伝票を業務部門間で電子掲示板を介して回覧する場合には、コメントよりも画像情報のほうが重要な情報である場合が多く、ユーザは画像にマーカーを記入したり、付箋画像を添付する等の画像編集のみを行って返信することが多く行われている。
【０００７】
【発明が解決しようとする課題】
しかしながら、従来の電子掲示板はテキストが主で、画像は補助的に使用できるにすぎなかったので、画像の有無の把握や画像の処理を迅速に行うことができなかった。
例えば、従来の電子掲示板では、表示画面にコメントタイトルのスレッド表示が行われるが、このスレッド表示画面では、各コメントに画像が添付されているか否かを判断することができず、各コメントを参照しなければ、コメントに添付されている画像にアクセスすることができないので、操作に手間がかかるという問題があった。
また、上記のように、ユーザが画像編集の返信のみを行った場合、コメントタイトルのスレッド表示リストには、単に元のタイトルに「ＲＥ：」が付されたタイトルが表示されるだけであるので、次のユーザが見た場合には、画像が編集されているか否か確かめようがなく、スレッドの元になる文書からスレッド内のすべての文書を参照しなければならない、という問題もあった。
【０００８】
本発明は、上記の問題に鑑みてなされたもので、画像を補助的に扱うことなく、テキストと同様に扱うことができ、デジタル複合機やスキャナを使用するシステムに最適な電子掲示板機能を備えたサーバ装置を提供することを目的とする。
【０００９】
【課題を解決するための手段】
請求項１に係る発明は、画像データ及びテキストデータを掲載文書として扱うことができ、コメントに対する返信機能としてコメントの返信、画像の返信及び画像編集の返信が可能な電子掲示板機能を備えたサーバ装置において、画像データを格納する画像格納手段と、テキストデータを格納するコメント格納手段と、画像編集のみあるいは新規画像登録のみの返信があったとき、画像編集あるいは新規画像登録の返信があったことを示すコメントを作成する手段と、上記作成したコメント及び編集画像あるいは新規登録画像又はそれらの画像へのショートカット情報を含む電子掲示板情報を作成する手段とを備えたことを特徴とする。
【００１０】
上記の請求項１に係る発明によれば、画像編集のみあるいは新規画像登録のみの返信があった場合には、そのことを示すコメントが自動的に作成されるので、その後その電子掲示板を見たユーザは容易に画像編集あるいは新規画像登録があることを認識することができる。また、編集画像あるいは新規登録画像又はそれらの画像へのショートカット情報が電子掲示板に表示されるので、ユーザは容易に画像を表示させることができる。
【００１１】
また、請求項２に係る発明は、請求項１に記載の電子掲示板機能を備えたサーバ装置において、上記画像格納手段に格納された画像のバージョン管理を行う手段を備えたことを特徴とする。この請求項２に係る発明によれば、掲載文書に添付された各画像のバージョン管理を行うことができ、例えば、画像編集内容の情報を順次記憶しておけばよいので、画像の記憶容量を少なくすることができるとともに、バージョン情報により元の画像と画像編集情報とを組み合わせて直ちに必要な画像を表示することができる。
【００１２】
さらに、請求項３に係る発明は、画像データ及びテキストデータを掲載文書として扱うことができる電子掲示板機能を備えたサーバ装置において、画像データを格納する画像格納手段と、テキストデータを格納するコメント格納手段と、電子掲示板情報を作成する手段とを備え、上記電子掲示板情報を作成する手段が、コメントのスレッド表示と、選択されているスレッド内に含まれる画像の一覧を表示するとともに、上記一覧表示の画像のうち、選択されているスレッドの元になった画像にフォーカスを当てた電子掲示板情報を作成することを特徴とする。この請求項３に係る発明によれば、スレッド内の画像がサムネイル等により一覧表示されるので、画像を容易に認識できるとともに、スレッドの元になった画像にフォーカスが当てられるので、元の画像を容易に認識することができる。
【００１３】
【発明の実施の形態】
以下、本発明の電子掲示板機能を備えたサーバ装置をファクシミリサーバを用いて実施した実施の形態について図面を用いて説明する。図１は本発明に係るファクシミリサーバを備えたシステムのネットワーク構成例を示す図、図２はファクシミリサーバのハードウェア構成を示すブロック図、図３はこのファクシミリサーバを機能で表した機能ブロック図である。
【００１４】
図１に示すネットワーク構成図において、１はファクシミリサーバ、２３、４、・・・はクライアントのパソコン、５はＬＡＮ、６は公衆交換電話網（ＰＳＴＮ）、７はインターネット網である。
ファクシミリサーバ１は、ＰＳＴＮ６に接続されるとともに、通信ネットワークとして、通信ネットワークの一つであるＬＡＮ５に接続されており、このＬＡＮ５には、複数のクライアントパソコン２、３、４、・・・が接続されるとともに、インターネット網７にも接続されている。
【００１５】
上記のファクシミリサーバ１は、ＰＳＴＮ６を通じてファクシミリ受信した画像データを、転送先のクライアントパソコンやインターネットに接続された他のファクシミリ装置に対して、それぞれ対応するプロトコルに従って転送することができ、また、クライアントパソコン２、３、４、・・・からデータを受信し、クライアントから指定された送信先に送信することもできる。
さらに、このファクシミリサーバ１は、ファクシミリ受信した画像やクライアントパソコン２、３、４、・・・から送信された画像、電子メールを利用したインターネットファクシミリで受信した画像あるいは読取部で読み取った画像を含む文書を情報として電子掲示板情報を作成する。
【００１６】
このファクシミリサーバ１のハードウェア構成について、図２により説明する。図２に示すように、ファクシミリサーバ１は、ＣＰＵ１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスクドライブ（ＨＤＤ）１４、表示部１５、操作部１６、読取部１７、画像メモリ１８、記録部１９、モデム２０、ネットワーク制御ユニット（ＮＣＵ）２１、ＬＡＮインターフェース２２から構成されるとともに、各部がバス２３を介して接続されている。
【００１７】
ＣＰＵ１１は、バス２３を介してファクシミリサーバ１のハードウェア各部を制御するとともに、ＲＯＭ１２に記憶されたプログラムに基づいて各種のプログラムを実行する。ＲＡＭ１３はＳＲＡＭ等で構成され、プログラムの実行時に発生する一時的なデータを記憶する。なお、このＲＡＭ１３にフラッシュメモリを使用する構成も可能であり、この場合には、停電時やファクシミリサーバ１の電源が遮断された場合にも記憶内容が失われることはない。また、ＨＤＤ１４は電子掲示板に登録されたコメントのテキストデータや画像データを記憶するとともに、作成された電子掲示板情報を記憶する。
【００１８】
表示部１５は、液晶表示装置（ＬＣＤ）又はＣＲＴディスプレイ等の表示装置であり、ファクシミリサーバ１の動作状態を表示したり、種々の機能の操作画面の表示を行う。操作部１６はファクシミリサーバ１を操作するために必要な文字キー、テンキー、短縮ダイアルキー、ヘルプキー等の各種のファンクションキーを備えている。なお、表示部１５をタッチパネル方式とすることによりこの操作部１６の各種キーの一部又は全部を代用することができる。
【００１９】
読取部１７は、ＣＣＤ等を利用したスキャナで原稿を読み取り、白黒２値に変換したドットイメージデータを出力する。画像メモリ１８は、ＤＲＡＭ等を用いて構成され、送信すべきイメージデータまたは受信したイメージデータを記憶する。記録部１９は電子写真方式等のプリンタ装置を備え、受信したデータをハードコピーとしてプリントアウトとする。
【００２０】
モデム２０は、バス２３に接続されており、ファクシミリ通信が可能なファックスモデムとしての機能を有し、このモデム２０は同様にバス２３に接続されたＮＣＵ２１と接続されている。ＮＣＵ２１はアナログ回線の閉結及び開放の動作を行うハードウェアであり、必要に応じてモデム２０をＰＳＴＮ６に接続する。また、ＬＡＮインターフェース２２は、ＬＡＮ５に接続され、ＬＡＮ５からの信号やデータを受信する一方、ＬＡＮ５に対して信号やデータを送信するものであり、信号変換やプロトコル変換などのインターフェース処理を実行する。
【００２１】
ファクシミリサーバ１は上記のような構成を備えており、ファクシミリ送信時には、原稿の画像データが読取部１７で読み取られて画像メモリ１８に蓄積された後、モデム２０で変調され、ＮＣＵ２１からＰＳＴＮ６を通して通信相手先に送信される。また、ファクシミリ受信時には、受信した画像データがモデム２０で復調されて画像メモリ１８に蓄積された後、記録部１９により印刷される。
【００２２】
一方、図３はこのファクシミリサーバ１の電子掲示板機能を実行する各部を示す機能ブロック図であり、制御部３１、画像格納部３２、差分画像情報格納部３３、コメント格納部３４、画像バージョン情報管理部３５、コメントリンク情報管理部３６、電子掲示板情報作成部３７及びコメント自動作成部３８からなる。制御部３１はコメント及び画像が登録されると、登録された画像及びコメントに識別情報を付与し、識別情報が付与された新規画像を画像格納部３２に、編集された画像の編集分のみを差分画像情報格納部３３に、コメントをコメント格納部３４に格納するとともに、画像格納部３２、差分画像情報格納部３３に格納された新規画像、差分画像のリンク情報及び各コメントのリンク情報を生成し、それぞれ画像バージョン情報管理部３５及びコメントリンク情報管理部３６に送信する。また、制御部３１は、新たにコメントや画像が登録されたり、コメントの返信あるいは画像の編集があった場合には、電子掲示板情報作成部３７に新たな電子掲示板情報の作成を指示し、電子掲示板情報作成部３７で作成された電子掲示板情報をクライアントパソコンに送信する。さらに、制御部３１は、返信として新規画像の返信または編集画像の返信のみが行われて、コメントが返信されてこない場合には、コメント自動作成部３８に新規画像返信または編集画像返信を表すコメントを作成させる。
【００２３】
また、画像格納部３２は電子掲示板に登録された新規画像の画像データを保存し、差分画像情報格納部３３は電子掲示板に掲示された画像が編集された場合に、編集前の画像と編集後の画像の差分情報を保存する。コメント格納部３４は、新規登録されたコメントや返信コメントのタイトルと本文よりなるテキストデータを保存する。さらに、画像バージョン情報管理部３５は制御部３１により生成された画像のリンク情報に基づいて画像のリンク、即ち、バージョン情報を作成して保存し、コメントリンク情報管理部３６は制御部３１により生成されたコメントのリンク情報に基づいてコメントのリンクを作成して保存する。
【００２４】
電子掲示板情報作成部３７はコメントリンク情報管理部３６及び画像バージョン情報管理部３５からのリンク情報と画像格納部３２、差分画像情報格納部３３、コメント格納部３４からの情報に基づいて、スレッド毎のコメントのタイトル、画像アイコン、現在選択されているコメントのタイトル、本文及びそのコメントに画像が添付されている場合にはその画像の情報を備えるとともに、選択されているスレッド内に含まれるすべての画像のサムネイル一覧表示の情報を備えた電子掲示板情報を作成する。
さらに、コメント自動作成部３８は、画像編集あるいは新規画像の返信があった場合に、コメントが付けられていないときには、画像編集あるいは新規画像の返信があったことを示すコメントを記憶された定型文から選択して自動的に作成する。
これらの各部は、図２のＣＰＵ１１及びＲＯＭ１２、ＲＡＭ１３、ＨＤＤ１４により構成され、各部の機能はソフトウェアプログラムによって実行される。
【００２５】
次に、電子掲示板のコメント、画像の登録、返信、あるいは画像編集が行われる場合の、ファクシミリサーバ１の作用について、図３の機能ブロック図及び図４のフローチャートを用いて説明する。
ユーザがクライアントパソコン２を用いて、電子掲示板にアクセスすると、制御部３１はアクセスがあったことを判別（ステップ１０１）して、登録済みのコメント及び画像情報を含む電子掲示板情報をクライアントパソコン２に送信する（ステップ１０２）。そして、ユーザが電子掲示板にスレッド表示されたタイトルの中からあるタイトルをクリックして参照すると、制御部３１は参照があったことを判別（ステップ１０３）し、電子掲示板情報作成部３７に指示してそのコメントの本文および画像を含む電子掲示板情報を新たに作成させ、作成された電子掲示板情報をクライアントパソコン２に送出する（ステップ１０４）。これによりクライアントパソコン２の表示画面には、図５に示すような電子掲示板が表示される。
【００２６】
図５に示すように電子掲示板の上部には、スレッド順に整理されたスレッド表示のタイトルリストが表示されるとともに、各コメントに新規画像が添付されている場合、あるいは編集画像がある場合には、そのコメントのタイトルの横に画像アイコンが表示されている。このスレッド表示は各コメントの親子関係を表現したものであり、あるコメントに対して誰かが返信した場合には、返信コメントは元のコメントから派生した子となる。図に示すように、あるコメントのタイトルに対し、そのコメントへの返信コメントのタイトルは１段下げて表示されており、同様にこれに対する返信のタイトルもそれより更に１段下げて表示されている。一つのコメントからこのような返信等の関係によって派生したコメント群全体がスレッドであり、図５の例では２つのスレッドが表示されている。
【００２７】
また、スレッド表示のタイトルリスト画面の下部には、現在選択されているコメントのタイトル及び本文と、画像が添付されている場合には、その画像が表示される。さらに、電子掲示板画面の右側には選択されているスレッド内に含まれるすべての画像の一覧がサムネイルとして表示されるとともに、表示されているコメントの元になった画像（図示例では、画像３）にフォーカスがあてられている。このサムネイル表示された一覧の中の一つをクリックすることによっても、そのサムネイル表示に該当する画像及びコメントを参照することができる。
【００２８】
そして、ユーザが画面中央の「返信」、「新規」あるいは「終了」をクリックすると、この情報がファクシミリサーバ１に送信されるので、ファクシミリサーバ１の制御部３１は「終了」か否かを判別し（ステップ１０５）、「終了」の場合には、制御部３１はプログラムを終了する。
一方、「終了」でない場合には、「返信」か「新規」かを判別し（ステップ１０６）、「新規」の場合には、新規登録画面（図示せず）をクライアントパソコン２に送信する（ステップ１０７）。そして、新規登録画面においてユーザが画像、コメントを入力して送信すると、制御部３１は、送信された画像及びコメントに識別情報を付与し、識別情報を付与した画像を画像格納部３２に、識別情報を付与したコメントをコメント格納部３４に格納するとともに、画像のリンク情報、コメントのリンク情報を新たに生成し、画像バージョン情報管理部３５及びコメントリンク情報管理部３６に送信する（ステップ１０８）。この後、制御部３１は電子掲示板情報作成部３７に新たな電子掲示板情報の作成を指示し、電子掲示板作成部３７がコメントリンク情報管理部３６及び画像バージョン情報管理部３５からのリンク情報と画像格納部３２、差分画像情報格納部３３、コメント格納部３４からの情報に基づいて電子掲示板情報を作成し、制御部３１が新たに作成された電子掲示板情報をクライアントパソコン２に送信する（ステップ１０４）。
【００２９】
一方、ユーザが「返信」をクリックした場合には、制御部３１は電子掲示板情報作成部３７に図６に示す返信画面を作成させ、クライアントパソコンに送信する（ステップ１０９）。図６に示すように、この返信画面の左側には選択されているコメントの画像が表示されており、画面の右側には、返信コメントのタイトル記入欄、本文記入欄、登録者名記入欄、及び新たな画像等の添付ファイルを記入する欄が設けられている。
【００３０】
この返信画面において、ユーザが返信コメントを記入して「実行」をクリックすると、返信コメントがファクシミリサーバ１に送られ、添付ファイル欄で「参照」をクリックすることによりファイルの一覧を表示させ、その中から該当するファイルを選択することにより画像を選択し、この後「実行」をクリックすると、選択されたファイルが新規画像としてファクシミリサーバ１に送られる。また、ユーザが「画像編集」をクリックすると、左側の画像が編集可能となり、ユーザが画像にマーカーを記入したり、付箋画像を添付する等の画像編集を行った後、「実行」をクリックすると、その編集情報がファクシミリサーバ１に送信される。
【００３１】
そして、ファクシミリサーバ１の制御部３１は、送信されてきた情報から新規画像が有るか否かを判別し（ステップ１１０）、新規画像がある場合には、送信された画像に識別情報を付与し、識別情報を付与した画像を画像格納部３２に格納するとともに、その画像を元の画像にリンクさせるリンク情報を画像バージョン情報管理部３５に送信し、画像バージョン情報管理部３５が画像の新たなバージョン情報を生成して保存する（ステップ１１１）。
【００３２】
次に、制御部３１はコメントが送信されたか否かを判別し（ステップ１１２）、コメントがある場合には、そのコメントに識別情報を付与し、識別情報を付与したコメントをコメント格納部３４に格納するとともに、そのコメントを元のコメントにリンクさせるリンク情報をコメントリンク情報管理部３６に送信し、コメントリンク情報管理部３６が新たなコメントリンクを生成して保存する。一方、コメントがない場合には、制御部３１はコメント自動作成部３８に新規画像返信のコメント作成を指示する（ステップ１１３）。コメント自動作成部３８は登録されているコメント情報から、タイトル「追加情報」、本文「画像を追加しました。」を選択して、制御部３１に送信し、制御部３１はこのコメントに識別情報を付与してコメント格納部３４に格納するとともに、コメントリンク情報をコメントリンク情報管理部３６に送信する（ステップ１１８）。そして、新規登録の場合と同様に、制御部３１は電子掲示板情報作成部３７に新たな電子掲示板情報の作成を指示し、制御部３１は新たに作成された電子掲示板情報をクライアントパソコン２に送信する（ステップ１０４）。
【００３３】
一方、ステップ１１０において、新規画像なしと判断された場合には、制御部３１は画像編集がなされたか否かを判別し（ステップ１１４）、画像編集がなかった場合には、コメントのみの返信であるので、制御部３１はそのコメントに識別情報を付与し、識別情報を付与したコメントをコメント格納部３４に格納するとともに、そのコメントを元のコメントにリンクさせるリンク情報をコメントリンク情報管理部３６に送信した（ステップ１１８）後、上記と同様に、電子掲示板情報作成部３７に新たな電子掲示板情報の作成を指示し、新たに作成された電子掲示板情報をクライアントパソコン２に送信する（ステップ１０４）。
【００３４】
また、ステップ１１４において、画像編集有りと判断された場合には、付箋画像や記入されたマーカー等の編集画像に識別情報を付与し、識別情報を付与した画像を差分画像情報格納部３３に格納するとともに、その差分画像を元の画像にリンクさせるリンク情報を画像バージョン情報管理部３５に送信し、画像バージョン情報管理部３５が画像の新たなバージョン情報を生成して保存する。
【００３５】
次に、制御部３１はコメントが送信されたか否かを判別し（ステップ１１６）、コメントがある場合には、そのコメントに識別情報を付与し、識別情報を付与したコメントをコメント格納部３４に格納するとともに、そのコメントを元のコメントにリンクさせるリンク情報をコメントリンク情報管理部３６に送信する（ステップ１１８）。一方、コメントがない場合には、制御部３１はコメント自動作成部３８に画像編集のコメント作成を指示する（ステップ１１７）。コメント自動作成部３８は登録されているコメント情報から、タイトル「訂正情報」、本文「画像を編集しました。」を選択して、制御部３１に送信し、制御部３１はこのコメントに識別情報を付与し、識別情報を付与したコメントをコメント格納部３４に格納するとともに、そのコメントを元のコメントにリンクさせるリンク情報をコメントリンク情報管理部３６に送信する（ステップ１１８）。そして、制御部３１は上記と同様に、電子掲示板情報作成部３７に新たな電子掲示板情報の作成を指示し、新たに作成された電子掲示板情報をクライアントパソコン２に送信する（ステップ１０４）。
以上のように、画像編集のみあるいは新規画像登録のみの返信があり、コメントの返信がない場合には、画像編集または新規画像登録があったことを示すタイトル及び本文よりなるコメントが自動的に作成されるので、その後その電子掲示板を見たユーザは画像編集あるいは新規画像登録があることを容易に認識することができる。さらに、自動的に作成されるコメントの本文に、画像編集者名や編集箇所を記述するようにすることも可能であり、このようにすれば、さらに有効な情報をユーザに提供することができる。
【００３６】
なお、上記の実施の形態では、本発明の電子掲示板機能を備えたサーバ装置をファクシミリサーバにより実現する例を説明したが、本発明の電子掲示板機能を備えたサーバ装置はファクシミリサーバに限らず通常のサーバ装置やパーソナルコンピュータによって実施することもできる。
また、上記の実施の形態では、画像編集のみあるいは新規画像登録のみの返信があった場合に、そのことを示すタイトル及び本文からなるコメントを作成したが、タイトルのみで画像編集のみあるいは新規画像登録のみの返信があったことを認識できるので、本文は必ずしも作成する必要はない。
さらに、上記の実施の形態では、差分画像情報格納部を設け、画像編集が行われた場合には、編集された画像と元の画像の差分情報を差分画像情報格納部に格納したが、編集された画像全体を新規画像の画像格納部と同じ画像格納部に格納することも可能である。
【００３７】
【発明の効果】
以上詳述したように、本発明の電子掲示板機能を備えたサーバ装置は、画像編集のみあるいは新規画像登録のみの返信があった場合には、そのことを示すコメントが自動的に作成されるので、その後その電子掲示板を見たユーザは容易に画像編集あるいは新規画像登録があることを認識することができる。また、編集画像あるいは新規登録画像がある場合、画像又はショートカット情報としての画像アイコンが電子掲示板に表示されるので、ユーザは容易に画像を表示させることができる。
【００３８】
また、コメントに添付された画像のバージョン管理を行う手段を設ければ、例えば、画像編集が行われた場合、その編集内容のみの画像を記憶しておけばよく、画像の記憶容量を少なくすることができるとともに、バージョン情報により元の画像と編集画像とを組み合わせて直ちに必要な画像を表示することができる。
さらに、電子掲示板に選択されているスレッド内に含まれるすべての画像のサムネイルを一覧表示するとともに、一覧表示の画像のうち、選択されているスレッドの元になった画像にフォーカスを当てれば、画像を容易に認識できるとともに、スレッドの元になった画像も容易に認識することができる。
【図面の簡単な説明】
【図１】本発明に係る電子掲示板機能を備えたサーバ装置をファクシミリサーバを用いて実施したシステムのネットワーク構成例を示す図である。
【図２】ファクシミリサーバのハードウェア構成を示すブロック図である。
【図３】ファクシミリサーバにより実行される電子掲示板機能を示す機能ブロック図である。
【図４】電子掲示板機能を実行する場合の作用を示すフローチャートである。
【図５】電子掲示板の表示画面を示す図である。
【図６】電子掲示板における返信画面を示す図である。
【符号の説明】
１  ファクシミリサーバ
２、３、４  クライアントパソコン
５  ＬＡＮ
６  ＰＳＴＮ
７  インターネット網
１１  ＣＰＵ
１２  ＲＯＭ
１３  ＲＡＭ
１４  ＨＤＤ
１５  表示部
１６  操作部
１７  読取部
１８  画像メモリ
１９  記録部
２０  モデム
２１  ネットワーク制御ユニット
２２  ＬＡＮインターフェース
２３  バス
３１  制御部
３２  画像格納部
３３  差分画像情報格納部
３４  コメント格納部
３５  画像バージョン情報管理部
３６  コメントリンク情報管理部
３７  電子掲示板作成部
３８  コメント自動作成部
【図１】
2004362118.tif 000003
【図２】
2004362118.tif 000004
【図３】
2004362118.tif 000005
【図４】
2004362118.tif 000006
【図５】
2004362118.tif 000007
【図６】
2004362118.tif 000008